(57)【要約】【課題】  女児がスカートの下にも容易かつ適正に着用することができ、肌着としてのパンツやその着用状態が露呈することを回避することもでき、女児の身体や健康に悪影響を及ぼさず、洗濯等の取り扱いも簡便である女児用下衣を提供する。【解決手段】  裾部２１が太腿上部に至る寸法とされたアウターパンツ２０と、アウターパンツ２０よりも短丈とされ、アウターパンツ２０内に吊下げさせるインナーパンツ１０とを、それぞれの上端部に設けられるウエスト部３０を共用させて一体に形成するとともに、さらに、ウエスト部３０を適正位置に配置して着用した際に、アウターパンツ２０の股間部２３とインナーパンツ１０の股間部１３との間に間隙部４０が設けられるように形成する。【選択図】      図１
0003225751.tif 000002
【実用新案登録請求の範囲】
【請求項１】
裾部が太腿上部に至る寸法とされたアウターパンツと、
該アウターパンツよりも短丈とされ、該アウターパンツ内に吊下げさせるインナーパンツとを、それぞれの上端部に設けられるウエスト部を共用させて一体に形成された女児用下衣であって、
前記ウエスト部を適正位置に配置して着用した際に、前記アウターパンツの股間部と前記インナーパンツの股間部との間に間隙部が設けられるように形成されていることを特徴とする女児用下衣。
【請求項２】
請求項１に記載の女児用下衣において、
前記アウターパンツは、
前後または左右の一対の身頃と、
前記アウターパンツの一方の内腿端縁から股間部を経由し他方の内腿端縁に至る内股領域を構成するクロッチとから構成されており、
前記一対の身頃の裾部はフリル状となるメロー仕上げが施されており、前記クロッチの裾部は非フリル状に仕上げが施されていることを特徴とする女児用下衣。
【請求項３】
請求項１または請求項２に記載の女児用下衣において、
前記アウターパンツのウエスト部部分には、着脱時の手掛かりとなる指掛け部が１つまたは複数設けられていることを特徴とする女児用下衣。
【考案の詳細な説明】
【技術分野】
【０００１】
本考案は、肌着としてのパンツやその着用状態を隠すことを主な目的とする女児用下衣に関する。
【背景技術】
【０００２】
従来から、女児にスカートや短丈のズボンを履かせた際に、裾口から肌着としてのパンツや、そのパンツが股間やお尻に食い込んだ状態（着用状態）が見えてしまうことを防止し、さらには、盗撮等の犯罪行為から身を守る簡易な方法として、パンツの上にブルマ型やスパッツ型などのオーバーパンツを履かせることがなされている（オーバーパンツの他の例として特許文献１参照）。
【先行技術文献】
【特許文献】
【０００３】
【特許文献１】特開２０１５−０５２１８０号公報
【考案の概要】
【考案が解決しようとする課題】
【０００４】
しかしながら、スカートやシャツブラウス等の上衣の裾等がウエスト部の引き上げの動作を邪魔したり、視認を遮ること等も原因となって、肌着としてのパンツにオーバーパンツを上手く重ね、それぞれのパンツがそれぞれの役割を果たすように着用することは、女児にはなかなか難しい。
【０００５】
例えば、トイレのための時間を短く済まそうとして慌てて動作し、それぞれのパンツのウエスト部を一遍にまとめて把持して強く上方へ引き上げたため、結局、オーバーパンツまでもがお尻等に食い込み、オーバーパンツの役割を果たしていないような状態も見受けられる。このようにオーバーパンツがお尻に食い込んだ状態を表に露呈させないためには、オーバーパンツはお腹周りからお尻、太腿に亘って身体に圧着するような構成ではないことが望ましい（所謂、ペチパンツのような、圧着しないけれど内側を覗けるような隙間を作らないものにしたい）。
【０００６】
ブルマ型のオーバーパンツは、各脚部の裾に施されたゴムが、その弾性を利用して太腿を締めるので、肌着としてのパンツも裾部の隙間等から視認されることもなく、そのパンツがお尻に食い込んだ状態を表に露呈させにくいが、成長期にある女児の身体や健康を鑑みれば、ゴムの太腿への締め付けはなるべく回避したい。
【０００７】
また、オーバーパンツを幼稚園・保育園や小学校の制服等のスカートに合わせて着用する場合等、五分丈、七分丈などのスパッツ型のオーバーパンツではなく、スカート丈以下の総丈とされていることが望ましいこともある。
【０００８】
さらには、下衣である以上、頻繁な洗濯も可能であり、乾き易いことも望まれるポイントとなる。
【０００９】
よって、本考案は、女児がスカートの下にも容易かつ適正に着用することができ、肌着としてのパンツやその着用状態が露呈することを回避することもでき、女児の身体や健康に悪影響を及ぼさず、洗濯等の取り扱いも簡便である女児用下衣を提供することを目的とするものである。
【課題を解決するための手段】
【００１０】
前述した目的を達成することができる、請求項１に係る本考案の特徴は、裾部が太腿上部に至る寸法とされたアウターパンツと、該アウターパンツよりも短丈とされ、該アウターパンツ内に吊下げさせるインナーパンツとを、それぞれの上端部に設けられるウエスト部を共用させて一体に形成された女児用下衣であって、前記ウエスト部を適正位置に配置して着用した際に、前記アウターパンツの股間部と前記インナーパンツの股間部との間に間隙部が設けられるように形成されている点にある。
【００１１】
このような構成を採用したことにより、インナーパンツの着用状態に拘わらず、アウターパンツは特に股間部が前記間隙部により身体に食い込むようなことが無いので、肌着としてのインナーパンツやその着用状態が露呈することを回避することができる。また、前記間隙部を設けたことにより前記アウターパンツの股間部と前記インナーパンツの股間部との間に通気を確保することが可能となるので、着用者の股間が蒸れるような事態を回避することができ、健康にもよい。
【００１２】
そして、インナーパンツとアウターパンツとをウエスト部において一体とし、アウターパンツ内にインナーパンツを吊下げた構成としたことにより、着用する際にインナーパンツとアウターパンツそれぞれの裾口の方向や位置が大きくずれてしまうことがないので、幼児でもインナーパンツおよびアウターパンツの各裾口に正しく足を通すことができ、しかも、共用する１つのウエスト部を腹位に引き上げることで、容易かつ適正に着用することができる。
【００１３】
さらに、ウエスト部において一体とされたインナーパンツとアウターパンツは、洗濯時にインナーパンツをウエスト部から外方へ引き出した状態で干すことができるので、インナーパンツとアウターパンツとを重ねた状態で干すよりも確実に乾き易く、取り扱いも簡単便利となる。
【００１４】
またさらに、アウターパンツを裾部が太腿上部に至る寸法に形成することで、スカートに合わせて着用する場合にも、裾下から該女児用下衣が常に見えるような事態を回避することもできる。
【００１５】
請求項２に係る本考案の特徴は、請求項１の女児用下衣において、前記アウターパンツは、前後または左右の一対の身頃と、前記アウターパンツの一方の内腿端縁から股間部を経由し他方の内腿端縁に至る内股領域を構成するクロッチとから構成されており、前記一対の身頃の裾部はフリル状となるメロー仕上げが施されており、前記クロッチの裾部は非フリル状となるメロー仕上げが施されている点にある。
【００１６】
このような構成を採用したことにより、フリル状のメロー仕上げが施されることにより可愛らしい美観を有し、着用した際に、太腿上部を締め付けることもなく、しかも、非フリル状とされたクロッチの裾口端部は内腿に沿って位置し、裾口と着用者の内腿との間に隙間ができにくくなるので、内腿の裾口からインナーパンツやその着用状態を見えにくくすることができる。また、メロー仕上げによって処理された裾部は、布地が１枚であるため乾き易い。
【００１７】
さらに、請求項３に係る本考案の特徴は、請求項１または請求項２の女児用下衣において、前記アウターパンツのウエスト部部分には、着脱時の手掛かりとなる指掛け部が１つまたは複数設けられている点にある。
【００１８】
このような構成を採用したことにより、着脱が容易となり、特に、幼児自身での着脱あるいは幼児の着脱の介助が容易となる。
【考案の効果】
【００１９】
このように、本考案の女児用下衣は、女児がスカートの下にも容易かつ適正に着用することができ、肌着としてのパンツやその着用状態が露呈するようなことも回避でき、女児の身体や健康に悪影響を及ぼさず、洗濯等の取り扱いも簡便である等の様々な効果を有する。
【図面の簡単な説明】
【００２０】
【図１】本願考案の実施形態の女児用下衣を示す斜視図（正面側）
【図２】図１の女児用下衣の背面図
【図３】図１の女児用下衣のアウターパンツの要部拡大説明図
【考案を実施するための形態】
【００２１】
以下、本考案に係る女児用下衣を図面に示す実施形態により説明する。
【００２２】
本実施形態の女児用下衣１は、図１乃至図３に示すように、インナーパンツ１０とアウターパンツ２０とから構成されており、それぞれの上端部に設けられるウエスト部３０を共用して縫合され、インナーパンツ１０がアウターパンツ２０内に吊下げられている。
【００２３】
具体的には、インナーパンツ１０とアウターパンツ２０は、アウターパンツ２０の布地の上端を内側へ折り返してインナーパンツ１０の布地の上端を挟持させ、その重ねられた部分が縫合され、ゴム通し部３１が形成されている。ゴム通し部３１には平ゴム等の図示しない環状のゴム紐が配設されて、ウエスト部３０が構成されている。
【００２４】
また、アウターパンツ２０はその総丈が両裾部２１，２１が着用者の太腿上部に至る寸法とされており、インナーパンツ１０は、各裾部１１，１１および股間部１３がアウターパンツ２０の各裾部２１，２１および股間部２３よりもそれぞれ短丈で、ウエスト部４を着用者のお腹周りの適正位置に位置させて着用することで、インナーパンツ１０の股間部１３の外表面とアウターパンツ２０の股間部２３の内表面との間に間隙部４０が設けられるように形成されている。
【００２５】
ここで、インナーパンツ１０は、綿などの肌に優しい素材の布地からなる前身頃１４、後身頃１５およびクロッチ１６を縫合して形成されている。インナーパンツ１０の各裾口（股ぐり）１２，１２には、それぞれ緩く伸縮する細平ゴム等のゴム紐（不図示）は周方向に渡って縫付けられており、このゴム紐により前記各裾口１２，１２がそれぞれ着用者の太腿に密着するようになっている。
【００２６】
他方のアウターパンツ２０は、左身頃２４、右身頃２５およびクロッチ２６が一体に縫合されている。その素材は、インナーパンツ１０と同様の素材を採用してもよいが、本実施形態においては、ストレッチ性の高い薄手のジャージ地を採用する。このようにストレッチ性の高い布地は後述のメローの強弱の仕上げの効果が有効に発揮される。
【００２７】
本実施形態においてクロッチ２６は、アウターパンツ２０の一方の裾部２１の内腿端縁から股間部２３を経由し他方の裾部２１の内腿端縁に至る内股領域を構成し、内股に沿って延出するように設けられており、アウターパンツ２０を立体的に形成している。
【００２８】
また、アウターパンツ２０の各裾部２１，２１はそれぞれ各身頃２４，２５とクロッチ２６の双方から形成され、各裾口２２，２２は、それぞれ各身頃２４，２５からなる外側裾口２２ａと、クロッチ１５からなる内側裾口２２ｂとにおいてそれぞれ異なる加工が施されている。具体的には、各身頃１３，１４からなる外側裾口２２ａはフリル状となる強めのメロー仕上げが施されており、クロッチ１５からなる内側裾口２２ｂは非フリル状で直線的に仕上げるメロー仕上げが施されている。
【００２９】
なお、図１乃至図３に示す女児用下衣１においては、各裾口２２，２２は外側裾口２２ａを２６ｃｍ、内側裾口２２ｂを８ｃｍとし、内側裾口２２ｂが裾口２２の周径に対して短く形成され、かつ、太腿に圧着せずに沿わせて着用できるように形成されている。
【００３０】
このような構成からなる本実施形態の女児用下衣１によれば、上述の様に、インナーパンツ１０の着用状態に拘わらず、アウターパンツ２０は特に股間部２３が間隙部４０により身体に食い込むようなことが無いので、肌着としてのインナーパンツ１０やその着用状態が露呈することを回避することができる。
【００３１】
また、間隙部４０を設けたことによりアウターパンツ２０の股間部２３とインナーパンツ１０の股間部１３との間に通気を確保することが可能となるので、着用者の股間が蒸れるような事態を回避することができ、健康にもよい。
【００３２】
そして、インナーパンツ１０とアウターパンツ２０とをウエスト部３０において一体とし、アウターパンツ２０内にインナーパンツ１０を吊下げた構成としたことにより、着用する際にインナーパンツ１０とアウターパンツ２０それぞれの裾口１２，１２，２２，２２の方向や位置が大きくずれてしまうことがない。よって、幼児でもインナーパンツ１０およびアウターパンツ２０に正しく足を通すことができ、しかも、共用する１つのウエスト部３０を腹位に引き上げることで、容易かつ適正に着用することができる。
【００３３】
さらに、ウエスト部３０において一体とされたインナーパンツ１０とアウターパンツ２０は、洗濯時にインナーパンツ１０をウエスト部３０から外方へ引き出した状態で干すことができるので、インナーパンツ１０とアウターパンツ２０とを重ねた状態で干すよりも確実に乾き易く、取り扱いも簡単便利となる。
【００３４】
またさらに、アウターパンツ２０を裾部２１が太腿上部に至る寸法に形成することで、スカートに合わせて着用する場合にも、スカートから該女児用下衣１が常に見えるような事態を回避することも可能となる。
【００３５】
なお、アウターパンツ２０のウエスト部３０に、着脱時の手掛かりとなる指掛け部を１つまたは複数設けてもよい。この指掛け部に指を添え、ウエスト部３０を引き上げることにより、自身での着脱あるいは着脱の介助が容易となる。
【００３６】
本考案は、前述した実施の形態に限定されるものではなく、必要に応じて種々の変更が可能である。
【００３７】
なお、本考案は幼児や小学校生の女児のスカート内の盗撮対策として考案されたという経緯はあるが、成人が着用しても好適な効果を発揮するものであり、着用の年齢層を限るものではない。
【符号の説明】
【００３８】
１  女児用下衣
１０  インナーパンツ
１１  裾部
１２  裾口
１３  股間部
１４  前身頃
１５  後身頃
１６  クロッチ
２０  アウターパンツ
２１  裾部
２２  裾口
２２ａ  外側裾口
２２ｂ  内側裾口
２３  股間部
２４  左身頃
２５  右身頃
２６  クロッチ
３０  ウエスト部
３１  ゴム通し部
４０  間隙部
【図１】
0003225751.tif 000003
【図２】
0003225751.tif 000004
【図３】
0003225751.tif 000005